(57)【要約】【課題】部品点数が少なく、ユーザの過度の操作や組立時等の不備の影響を排除し、常に安定したシャッタの開閉動作を実行し得るシャッタの開閉装置を提供する。【解決手段】本発明のシャッタの開閉装置は、被収容物（被記録媒体）Ｐを収容するケース本体３８の一部に形成され、前記被収容物の取出し口となる開口部４１と、前記開口部を覆い前記ケース本体に対して開閉方向にスライド可能に取り付けられるシャッタ４２と、該シャッタを常時、閉鎖方向に付勢する付勢手段として前記ケース本体とシャッタの少なくとも一方に一体成形された片持ちバネ片６２，６６とを備えたこと。【選択図】図１１
2008087930.tif 000002
【特許請求の範囲】
【請求項１】
被収容物を収容するケース本体の一部に形成され、前記被収容物の取出し口となる開口部と、
前記開口部を覆い前記ケース本体に対して開閉方向にスライド可能に取り付けられるシャッタと、
該シャッタを常時、閉鎖方向に付勢する付勢手段として前記ケース本体とシャッタの少なくとも一方に一体成形された片持ちバネ片と、を備えたことを特徴とするシャッタの開閉装置。
【請求項２】
請求項１に記載のシャッタの開閉装置おいて、前記片持ちバネ片は先端部に被当接部に当接する案内頭部を備えており、当該案内頭部が前記被当接部に当接することによって片持ちバネ片の弾性変形が開始されるように構成されていることを特徴とするシャッタの開閉装置。
【請求項３】
請求項２に記載のシャッタの開閉装置において、前記案内頭部は側面視円形状に形成されていることを特徴とするシャッタの開閉装置。
【請求項４】
請求項１〜３のいずれか１項に記載のシャッタの開閉装置において、
前記ケース本体と前記シャッタの一方には前記案内頭部が先端部に形成されている一方の片持ちバネ片が設けられており、
前記ケース本体とシャッタの他方には他方の片持ちバネ片が設けられており、
前記一方の片持ちバネ片の前記案内頭部が、前記他方の片持ちバネ片における先端側から当接を開始し、該他方の片持ちバネ片の弾性変形量を徐々に増大させ、基端側のバネ作用部の付け根付近に向けて前記案内頭部の当接位置を移動させながらシャッタを拡開するように構成されていることを特徴とするシャッタの開閉装置。
【請求項５】
請求項１〜４のいずれか１項に記載のシャッタの開閉装置において、前記ケース本体、シャッタ及び片持ちバネ片は同一の合成樹脂材料によって構成されていることを特徴とするシャッタの開閉装置。
【請求項６】
多数枚の被記録媒体を収容し得るカセット本体と、該カセット本体の一部に形成され、被記録媒体の給送引出し口となる開口部と、該開口部を覆うように前記カセット本体に対してスライド可能に取り付けられるシャッタと、該シャッタを常時、閉鎖方向に付勢する付勢手段とを備え、記録装置に着脱可能に装着され、装着の際に前記付勢手段の付勢力に抗して前記シャッタが開く構成の給送用カセットであって、
請求項１〜５のいずれか１項に記載したシャッタの開閉装置を備えていることを特徴とする給送用カセット。
【請求項７】
給送用カセットが装着され、該給送用カセットに収容された被記録媒体を記録実行部に搬送して記録を行う構成の記録装置であって、前記給送用カセットは請求項６に記載した給送用カセットであることを特徴とする記録装置。
【請求項８】
給送用カセットが装着され、該給送用カセットに収容された被液体噴射媒体を液体噴射実行部に搬送して液体噴射を行う構成の液体噴射装置であって、
前記給送用カセットは、多数枚の被記録媒体を収容し得るカセット本体と、該カセット本体の一部に形成され、被記録媒体の給送引出し口となる開口部と、該開口部を覆うように前記カセット本体に対してスライド可能に取り付けられるシャッタと、該シャッタを常時、閉鎖方向に付勢する付勢手段とを備え、記録装置に着脱可能に装着され、装着の際に前記付勢手段の付勢力に抗して前記シャッタが開く構成であると共に、請求項１〜５のいずれか１項に記載したシャッタの開閉装置を備えていることを特徴とする液体噴射装置。
【発明の詳細な説明】
【技術分野】
【０００１】
本発明は、被収容物を収容するケース本体と、該ケース本体の一部に形成され、被収容物の取出し口となる開口部と、該開口部を覆うように前記ケース本体に対してスライド可能に取り付けられるシャッタと、該シャッタを常時、閉鎖方向に付勢している付勢手段とを備えるシャッタ付きの収容ケースに適用されるシャッタの開閉装置、該シャッタの開閉装置を適用した給送用カセット及び該給送用カセットが装着可能な記録装置に関する。
【０００２】
更に本発明は、インク等の液体をそのヘッドから吐出すなわち噴射して被記録媒体すなわち被液体噴射媒体に液体を付着するインクジェット式記録装置などの液体噴射装置及び該液体噴射装置に装着可能な給送用カセットに関するものである。
【０００３】
ここで液体噴射装置とは、インクジェット式記録ヘッドが用いられ、該記録ヘッドからインクを吐出して被記録媒体に記録を行うプリンタ、プロッタ、複写機及びファクシミリ等の記録装置に限らず、インクに代えてその用途に対応する液体を前記記録ヘッドに相当する液体噴射ヘッドから被記録媒体に相当する被液体噴射媒体に噴射して、前記液体を前記被液体噴射媒体に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
以下、給送用カセットに適用されるシャッタの開閉装置を例に採って説明する。給送用カセットは、下記の特許文献１に示すように、底面と前端面、後端面及び左右の側面とが閉塞され、上面が開放されたカセット本体と、当該カセット本体の開放された上面の大部分を塞ぐように設けられる上蓋と、当該上蓋によって閉塞されていない上面先端部に形成されている被記録媒体（以下用紙ともいう）の給送のための取出し口となる開口部と、該開口部を覆うように上記カセット本体に対してスライド可能に取り付けられるシャッタと、該シャッタを常時、閉鎖方向に付勢している付勢手段とを備えている。
【０００６】
また、上記付勢手段は、シャッタの開閉装置の構成部材になっており、従来はシャッタとカセット本体とは別体の金属製の引張りコイルバネによって構成されていた。そして、シャッタの開閉装置は、記録装置本体への装着及び取外し操作によって前記シャッタを自動的に開閉させるように構成されていた。この場合、ユーザの過度の操作によってシャッタとカセット本体との間に単に引っ掛けられているだけの引張りコイルバネがシャッタないしカセット本体から外れてしまうことがあり、このような場合にはシャッタの開閉動作に不具合を来たすことになる。
【０００７】
また、給送用カセットの組立時や修理時等において一旦取り外した引張りコイルバネを紛失したり、掛け忘れる場合もあり、このような場合には新たな引張りコイルバネを用意しなければならなかったり、上記と同様、シャッタの開閉動作に不具合を来たす。また、シャッタやカセット本体は一般に合成樹脂材料によって形成されており、別材料で別体の引張りコイルバネを設けることは部品点数及び部品コストの増大を招き、リサイクルする場合の煩わしい分解、分別作業を必要とする問題がある。
【特許文献１】特開平１−１６７１２３号公報
【発明の開示】
【発明が解決しようとする課題】
【０００８】
本発明は、付勢手段の構成を根本から見直すことによって、部品の有効利用と多機能化を図り、部品点数及び部品コストの削減に寄与し、ユーザの過度の操作や組立時等の不備の影響を排除し、安定したシャッタの開閉動作を実行し得るシャッタの開閉装置、該シャッタの開閉装置を適用した給送用カセット及び該給送用カセットが装着可能な記録装置等を提供することを課題とするものである。
【課題を解決するための手段】
【０００９】
上記課題を解決するために本発明の第１の態様に係るシャッタの開閉装置は、被収容物を収容するケース本体の一部に形成され、前記被収容物の取出し口となる開口部と、前記開口部を覆い前記ケース本体に対して開閉方向にスライド可能に取り付けられるシャッタと、該シャッタを常時、閉鎖方向に付勢する付勢手段として前記ケース本体とシャッタの少なくとも一方に一体成形された片持ちバネ片と、を備えたことを特徴とするものである。
【００１０】
本発明の第１の態様によれば、付勢手段として従来設けられていた引張りコイルバネが不要となり、部品点数と部品コストの削減を図ることができる。また、付勢手段としての片持ちバネ片がケース本体及び／又はシャッタと一体成形により形成されているから、ユーザの過度の操作や組立時等の不備の影響を排除し、常に安定したシャッタの開閉動作を実現することができる。
【００１１】
本発明の第２の態様に係るシャッタの開閉装置は、前記第１の態様において、前記片持ちバネ片は先端部に被当接部に当接する案内頭部を備えており、当該案内頭部が前記被当接部に当接することによって片持ちバネ片の弾性変形が開始されるように構成されていることを特徴とするものである。
【００１２】
本発明の第２の態様によれば、付勢手段として必要な所定の付勢力が発揮され、該付勢力を得るために片持ちバネ片が弾性変形することによって生ずる弾性反撥力の設定が容易になる。
【００１３】
本発明の第３の態様に係るシャッタの開閉装置は、前記第２の態様において、前記案内頭部は側面視円形状に形成されていることを特徴とするものである。  
本発明の第３の態様によれば、案内頭部に当接される被当接部であるケース本体又はシャッタの一部、あるいは他方の片持ちバネ片は、当該案内頭部の滑らかな周面形状に案内されて片持ちバネ片の基部側に向けて当接位置を円滑に移動させて行くことが可能になる。
【００１４】
本発明の第４の態様に係るシャッタの開閉装置は、前記第１乃至第３のいずれか１つの態様において、前記ケース本体と前記シャッタの一方には前記案内頭部が先端部に形成されている一方の片持ちバネ片が設けられており、前記ケース本体とシャッタの他方には他方の片持ちバネ片が設けられており、前記一方の片持ちバネ片の前記案内頭部が、前記他方の片持ちバネ片における先端側から当接を開始し、該他方の片持ちバネ片の弾性変形量を徐々に増大させ、基端側のバネ作用部の付け根付近に向けて前記案内頭部の当接位置を移動させながらシャッタを拡開するように構成されていることを特徴とするものである。
【００１５】
本発明の第４の態様によれば、「一方の片持ちバネ片」の案内頭部が、「他方の片持ちバネ片」の先端側から当接を開始し、「他方の片持ちバネ片」の弾性変形量を徐々に増大させ、「他方の片持ちバネ片」の基端側のバネ作用部の付け根付近に向けて前記案内頭部の当接位置を移動させながらシャッタを拡開するように構成されている。従って、「一方の片持ちバネ片」の案内頭部が「他方の片持ちバネ片」の先端部に当接している状態では、双方の片持ちバネ片の弾性変形量及び弾性反撥力が小さい。そして、「他方の片持ちバネ片」のバネ作用部の付け根付近に向けて当接位置を移動させることによって、双方の片持ちバネ片の弾性変形量及び弾性反撥力を徐々に大きくすることができる。従って、当接する２つの片持ちバネ片間の距離を可変することによって片持ちバネ片の弾性反撥力ないし付勢手段の付勢力を適宜調節することが可能になる。
【００１６】
本発明の第５の態様に係るシャッタの開閉装置は、前記第１〜第４のいずれか１つの態様において、前記ケース本体、シャッタ及び片持ちバネ片は同一の合成樹脂材料によって構成されていることを特徴とするものである。  
本発明の第５の態様によれば、シャッタの開閉装置を廃棄する場合に従来行っていた煩わしいシャッタの開閉装置の分解作業や分解した部品の分別作業が不要となり、シャッタの開閉装置のリサイクルが容易になる。
【００１７】
本発明の第６の態様に係る給送用カセットは、数枚の被記録媒体を収容し得るカセット本体と、該カセット本体の一部に形成され、被記録媒体の給送引出し口となる開口部と、該開口部を覆うように前記カセット本体に対してスライド可能に取り付けられるシャッタと、該シャッタを常時、閉鎖方向に付勢する付勢手段とを備え、記録装置に着脱可能に装着され、装着の際に前記付勢手段の付勢力に抗して前記シャッタが開く構成の給送用カセットであって、前記第１〜第５のいずれか１つの態様に記載したシャッタの開閉装置を備えていることを特徴とするものである。
【００１８】
本発明の第６の態様によれば、給送用カセットの部品点数及び部品コストの削減を図り、ユーザの過度の操作や組立時等の不備に影響されることなく、シャッタの開閉動作が安定した給送用カセットを提供することが可能となる。
【００１９】
本発明の第７の態様に係る記録装置は、給送用カセットが装着され、該給送用カセットに収容された被記録媒体を記録実行部に搬送して記録を行う構成の記録装置であって、前記給送用カセットは前記第６の態様に記載した給送用カセットであることを特徴とするものである。  
本発明の第７の態様によれば、部品の有効利用と多機能化を図り、部品点数及び部品コストの削減に寄与し、ユーザの過度の操作や組立時等の不備の影響を排除した常に安定したシャッタの開閉動作を発揮し得るシャッタの開閉装置が適用された給送用カセットが装着可能な記録装置を提供することができる。
【００２０】
本発明の第８の態様に係る液体噴射装置は、給送用カセットが装着され、該給送用カセットに収容された被液体噴射媒体を液体噴射実行部に搬送して液体噴射を行う構成の液体噴射装置であって、前記給送用カセットは、多数枚の被記録媒体を収容し得るカセット本体と、該カセット本体の一部に形成され、被記録媒体の給送引出し口となる開口部と、該開口部を覆うように前記カセット本体に対してスライド可能に取り付けられるシャッタと、該シャッタを常時、閉鎖方向に付勢する付勢手段とを備え、記録装置に着脱可能に装着され、装着の際に前記付勢手段の付勢力に抗して前記シャッタが開く構成であると共に、前記第１〜第５のいずれか１つに記載したシャッタの開閉装置を備えていることを特徴とするものである。
【発明を実施するための最良の形態】
【００２１】
以下、本願発明に係るシャッタの開閉装置、該シャッタの開閉装置を適用した給送用カセット及び該給送用カセットが装着可能な液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２２】
図１はインクジェットプリンタの外観を示す斜視図である。図示のインクジェットプリンタ１００は、持ち運びが可能な比較的コンパクトなタイプのインクジェットプリンタである。そして、図示のインクジェットプリンタ１００には、ホッパを有する給装装置は設けられておらず、本来、給送装置が設けられる液体噴射装置本体、そして記録装置本体の一例であるプリンタ本体３の後部寄りの上部開口５には、給送用カセット１が前下がり傾斜姿勢で着脱自在に装着できるようになっている。
【００２３】
そして、給送用カセット１内に収容されている被液体噴射材の一例である被記録媒体（以下単に用紙ともいう）Ｐは、ホッパ１６（図４）の押し上げ動作によって上方に押し上げられ、そのカセット本体３８の前端面側の前記上面に設けられた開口部４１（図２、図４）に臨んで位置する給送用ローラ１４との協働すなわち挟圧送り作用によって最上位の用紙Ｐから順次引き出されて給送されるようになっている。尚、給送用カセット１の具体的構成については後述する。
【００２４】
給送用ローラ１４の下流には、上下の搬送用従動ローラと搬送用駆動ローラの対によって構成されている図示しない公知の搬送用ローラが設けられており、該搬送用ローラによって搬送された用紙Ｐは、用紙搬送方向（副走査方向でもある）下流に位置する記録ポジションに導かれる。そして、記録ポジションの上方には用紙Ｐに液体の一例であるインクを吐出して直接記録を実行する液体噴射ヘッドの一例である図示しない記録ヘッドが位置している。一方、記録ポジションの下方には用紙Ｐの下面を支えている図示しないプラテンが設けられており、該プラテンは記録品質に重要に関係する被記録媒体と記録ヘッド間のギャップを規定する役割を担っている。
【００２５】
記録ヘッドは、上記副走査方向と直交する主走査方向に往復動する図示しないキャリッジの下面に搭載されており、該キャリッジは主走査方向に架け渡された図示しないキャリッジガイド軸によって案内され、同じく主走査方向に張設された図示しない無端ベルトからの駆動力を受けて往復動し得るように構成されている。また、記録ポジションの用紙搬送方向の下流には、上下の排出用従動ローラと排出用駆動ローラの対によって構成されている図示しない排出用ローラが設けられている。そして、該排出用ローラによって排出された用紙Ｐは、図示しない被液体噴射媒体受け部の一例である排出用スタッカの載置面上に排出されて積畳されるようになっている。
【００２６】
［実施例］
次に、このようにして構成されるインクジェットプリンタ１００に対して装着可能な本発明の給送用カセット１と該給送用カセット１に対して適用される本発明のシャッタの開閉装置１０について図面に基づいて具体的に説明する。
【００２７】
図２はシャッタ拡開時の給送用カセットを示す斜め前方からの斜視図、図３はシャッタ閉鎖時の給送用カセットを示す斜め前方からの斜視図である。図４はホッパ上昇時の給送用カセットを示す側断面図、図５はホッパ下降時の給送用カセットを示す側断面図である。図６はカセット本体を示す斜め上方からの斜視図、図７は同カセット本体の斜め下方からの斜視図である。図８はシャッタを示す表面側の斜視図、図９は同シャッタの裏面側の斜視図である。図１０はシャッタの開閉装置を示す分解斜視図、図１１はシャッタ閉鎖時のシャッタの開閉装置を示す側断面図（ａ）と、シャッタ拡開時のシャッタの開閉装置を示す側断面図（ｂ）である。
【００２８】
本実施例の給送用カセット１は、図１に示すように、記録装置の自動給送ユニット２に対して装着されることによって使用される。尚、図１は給送用カセット１を装着しつつある状態を示している。自動給送ユニット２は、プリンタ本体３の後部寄りの内部に設けられており、ホッパ１６との協働（挟圧送り作用）によって用紙Ｐを給送する給送用ローラ１４と、該給送用ローラ１４と一体に回転する回転軸１８と、該回転軸１８に回転を伝達する駆動手段であるモータ３１と、駆動伝達手段である歯車列３２と、これら諸部材を保持すると共に給送された用紙Ｐを用紙搬送経路に案内するユニットホルダ３３とを備えている。
【００２９】
また、上記回転軸１８の回転は、歯車列３２を介して図示しないホッパ作動軸の一端に取り付けられているホッパ作動カム３５と、戻しレバー７の図示しない回転軸に伝達されるようになっている。従って、給送用ローラ１４の回転と連動して所定のタイミングでホッパ１６が上下動し、所定のタイミングで戻しレバー７が作動して重送されてきた後続の用紙Ｐを給送用カセット１側に戻すようになっている。この他、ユニットホルダ３３には、重送されてきた用紙Ｐを記録の実行に使用する最上位の用紙Ｐと後続の用紙Ｐとに分離する図示しない分離手段と、上記ホッパ１６を給送用ローラ１４側に常時付勢している図示しない付勢部材（圧縮コイルバネ等）等が設けられている。
【００３０】
このような自動給送ユニット２のユニットホルダ３３における後部上方には、断面形状が略凹字形をしたカセットガイド３７が斜め後方に向けて立ち上げられており、該カセットガイド３７の内壁面に案内されて本発明の給送用カセット１が装着され、カセットガイド３７によって前下がり傾斜姿勢で保持されるようになっている。
【００３１】
本実施例の給送用カセット１は、図２乃至図７に示したように、一例として普通紙の場合で５０枚程度の用紙Ｐを積畳された状態で収容し得るカセット本体３８と、該カセット本体３８の一部に形成され、用紙Ｐの給送引出し口となる開口部４１と、該開口部４１を覆うように上記カセット本体３８に対してスライド可能に取り付けられるシャッタ４２と、該シャッタ４２を常時、閉鎖方向Ａに付勢している付勢手段６１と、上記カセット本体３８内に収容された用紙Ｐを給送用ローラ１４に向けて押し上げるホッパ１６と、プリンタ本体３に対する上記カセット本体３８の装着及び取外し操作によって上記シャッタ４２を自動的に開閉させるシャッタの開閉装置１０とを備えている。
【００３２】
カセット本体３８は、被収容物である用紙Ｐを収容するケース本体に属する偏平な角箱様の容器であり、上面４０、前端面３９、後端面４３、左側面４４及び右側面４５が一体成形により形成され、底面４６は開放され、多数枚の用紙Ｐを収容し得る構造である。また、カセット本体３８の左右の側面４４、４５における後端面４３寄りの下方のコーナ部付近には揺動穴４７、４７（図６、図７）が形成されており、これらの揺動穴４７、４７にはホッパ１６の揺動基端部４９に設けられている揺動軸５０が係合するようになっている（図２乃至図５）。また、カセット本体３８の左右の側面４４、４５における前端面３９寄りの下方の位置には、カセットガイド３７の内壁面に形成されている図示しない係合凹部に係合する係合突起５４を先端部に有する弾性舌片５２（図２）が設けられている。
【００３３】
また、上記弾性舌片５２の上部には外方に突出するように係合ピン５６が設けられている。該係合ピン５６は、シャッタ４２の左右の側板５８、５９に形成されている途中で階段状に折れ曲がった長穴形状の係合溝６０に係合するようになっている。また、上記係合ピン５６が設けられているカセット本体３８の左右の側面４４、４５の内壁面側には、前上がり傾斜姿勢で付勢手段６１の構成部材である一方の片持ちバネ片６２が設けられている（図７）。該一方の片持ちバネ片６２は、先端に側面視円形状となるように円柱を横に倒した形状の案内頭部６４を備えており、該案内頭部６４からカセット本体３８側にかけての部分が弾性変形可能なアーム状のバネ作用部６３になっている
この他、カセット本体３８の左右の側面４４、４５の中間付近の高さには長手方向に沿うようにガイドリブ６９（図２）が設けられている。該ガイドリブ６９は、ユニットホルダ３３のカセットガイド３７の内側面に摺接し、給送用カセット１の着脱を円滑に行えるようにする部材である。また、カセット本体３８の上面４０における左右の側面４４、４５寄りの中間付近の位置には、カセット本体３８内の用紙Ｐの有無や残量を確認するための角穴状の窓部７０（図２）が設けられている。
【００３４】
シャッタ４２は、図２に示したように、左側板５８、右側板５９及び覆板６５とによって構成される門型の断面形状を有する部材である。左側板５８と右側板５９には上述したようにカセット本体３８の左右の側面４４、４５に形成されている係合ピン５６と係合する階段状の係合溝６０が形成されている。また、シャッタ４２の覆板６５の左右の両端部には、斜め下方に向けて張り出すように付勢手段６１の他の構成部材である他方の片持ちバネ片６６が設けられている。
【００３５】
該他方の片持ちバネ片６６の先端には、案内頭部６４は設けられておらず、上記一方の片持ちバネ片６２よりも大きく弾性変形し得る柔軟なバネ作用部６３のみによって他方の片持ちバネ片６６は構成されている。また、覆板６５の前端縁の中央には矩形状に切り欠かれた切欠き部７８が設けられている。そして、シャッタ４２が後述するように拡開方向Ｂに移動した状態（図２、図４）で、この切欠き部７８内に給送用ローラ１４が進入することでホッパ１６によって先端が押し上げられている用紙Ｐの最上面に給送用ローラ１４が当接できるようになっている。
【００３６】
ホッパ１６は、図４と図５に示すように、上記カセット本体３８の開放された底面４６を塞ぐ平板状の部材である。ホッパ１６の揺動基端部４９には、上述のように揺動軸５０が設けられており、該揺動軸５０を揺動支点として、図５に示す待機姿勢と、図４に示す給送姿勢との間で揺動できるようになっている。また、カセット本体３８とホッパ１６との間には、給送時におけるホッパ１６の下方への移動を防止するための係止構造の構成部材である係止爪７９（図５、図７）が設けられている。また、ホッパ１６の揺動自由端７４側の中央部には、角穴状の開口７５（図１０）が設けられている。該開口７５には図示しないホッパ作動軸の中間部に取り付けられている図示しない作動アーム先端の押上げ作用部の一部が嵌合し、押上げ作用部の他の一部が上記開口７５の周縁部下面に係止するようになっている。
【００３７】
シャッタの開閉装置１０は、図１に示したように、カセット本体３８をプリンタ本体３の上部開口５から自動給送ユニット２のユニットホルダ３３におけるカセットガイド３７に装着し、取り外すことによって自動的にシャッタ４２の開閉動作を実行できるようにした装置である。
【００３８】
シャッタ４２は、図１０と図１１に拡大して示したように、前記カセット本体３８側の一方の片持ちバネ片６２と、当該シャッタ４２側の他方の片持ちバネ片６６とが当接することによって生ずる付勢力を受けて、常時は図３、図１１（ａ）に示すように、カセット本体３８の開口部４１を閉鎖する閉鎖方向Ａの端部に位置している。そして、給送用カセット１が記録装置の自動給送ユニット２における前記カセットガイド３７の内側面に装着される際に、シャッタ４２はその一部がカセットガイド３７側の被係止部（図示せず）に係止して前記付勢力に抗して開口部４１を拡開する拡開方向Ｂに移動する。すなわち、シャッタ４２は係合溝６０によって係合ピン５６が案内されることによって、幾分上昇しながら図２、図１１（ｂ）に示す拡開方向Ｂの端部に向けて移動する。
【００３９】
具体的には、拡開方向Ｂに移動したシャッタ４２（図１１（ｂ））が閉鎖方向Ａに戻るように付勢する付勢手段６１がシャッタの開閉装置１０の主要な構成部材となっている。すなわち、本実施例においては、シャッタの開閉装置１０の前記付勢手段６１は、カセット本体３８に一体成形された上記一方の片持ちバネ片６２と、当該一方の片持ちバネ片６２に当接することによってバネ作用を実行するシャッタ４２側の他方の片持ちバネ片６６とを組み合わせによって構成されている。
【００４０】
一方の片持ちバネ片６２には、上述したように先端部に案内頭部６４が設けられている。そして、該案内頭部６４を弾性作用点として作用させて、それぞれの片持ちバネ片６２、６６の弾性変形を促進ないし助長させることによって所望の弾性反撥力を発揮させるようになっている。そして、他方の片持ちバネ片６６は、最初に一方の片持ちバネ片６２の上記案内頭部６４に当接することによってそれぞれの片持ちバネ片６２、６６の弾性変形が開始されるようになっている。また、案内頭部６４は、上述したように側面視円形状になっているから他方の片持ちバネ片６６は上記案内頭部６４の周面形状に案内されて基部側のバネ作用部６３にかけて当接位置を滑らかに移動できるようになっている。
【００４１】
また、シャッタの開閉装置１０の主要な構成部材である上記付勢手段６１と、カセット本体３８及びシャッタ４２は、リサイクル可能な同一の合成樹脂材料によって構成されており、更に本実施例ではホッパ１６もリサイクル可能な同一の合成樹脂材料によって構成されている。従って、シャッタの開閉装置１０を廃棄する場合にシャッタの開閉装置１０の煩わしい分解作業や分解した部品の分別作業が不要となり、シャッタの開閉装置１０のリサイクルを容易にし、資源の有効利用が図られる。
【００４２】
次に、このようにして構成される本発明のシャッタの開閉装置１０の作動態様を（１）シャッタ閉鎖時と（２）シャッタ拡開時に分けて説明する。
【００４３】
（１）シャッタ閉鎖時（図３、図５、図１１（ａ）参照）
給送用カセット１をプリンタ本体３に装着する前は、図示のようにカセット本体３８の前端面３９側の上面４０に形成されている開口部４１は、シャッタ４２によって閉鎖された状態になっている。そして、本実施例ではこの時、他方の片持ちバネ片６６の先端部が一方の片持ちバネ片６２における案内頭部６４とバネ作用部６３の付け根付近に当接しており、２つの片持ちバネ片６２、６６は僅かに弾性変形した状態になっている。従って、シャッタ４２には２つの片持ちバネ片６２、６６による弾性反撥力によって奏される付勢力が閉鎖方向Ａに作用し、シャッタ４２は図示のように閉鎖状態になっている。
【００４４】
（２）シャッタ拡開時（図２、図４、図１１（ｂ）参照）
このような状態の給送用カセット１をプリンタ本体３に装着すると、シャッタ４２の一部がユニットホルダ３３のカセットガイド３７の一部に（被係止部に）当接するようになり、シャッタ４２は付勢手段６１の付勢力に抗して拡開方向Ｂ移動する。そして、図示のようにカセット本体３８の前端面３９側の上面４０に形成されている開口部４１は、上記シャッタ４２の拡開方向Ｂへの移動に伴い、前端面３９側が開口された拡開状態になる。またこの時、他方の片持ちバネ片６６のバネ作用部６３の基端部が一方の片持ちバネ片６２における案内頭部６４に当接しており、２つの片持ちバネ片６２、６６は上記案内頭部６４を弾性作用点として大きく弾性変形した状態になっている。
【００４５】
従って、シャッタ４２には、２つの片持ちバネ片６２、６６による弾性反撥力によって奏される大きな付勢力が閉鎖方向Ａに作用し、該シャッタ４２は図示のように拡開状態に保たれる。そして、このような状態の給送用カセット１をプリンタ本体３の上部開口５から引き抜いてプリンタ本体３から取り外すと、上記２つの片持ちバネ片６２、６６に蓄えられていた大きな弾性反撥力が作用してシャッタ４２は再び図３、図５、図１１（ａ）に示す閉鎖状態に戻る。
【００４６】
［他の実施例］
本願発明に係るシャッタの開閉装置１０、該シャッタの開閉装置１０を適用した給送用カセット１及び該給送用カセット１が装着可能な記録装置１００等は、以上述べたような構成を基本とするものであるが、本願発明の要旨を逸脱しない範囲内の部分的構成の変更や省略等を行なうことも勿論可能である。例えば、本発明のシャッタの開閉装置１０は、前述したような記録装置１００や他の液体噴射装置に対して装着される給送用カセット１に限らずシャッタ付きの種々の収容ケースに適用可能である。
【００４７】
また、カセット本体３８とシャッタ４２の双方に片持ちバネ片６２、６６を設ける他、カセット本体３８とシャッタ４２のいずれか一方のみに一方の片持ちバネ片６２あるいは他方の片持ちバネ片６６を設けるようにすることも可能である。また案内頭部６４の側面形状は側面視円形状の他、半円形状や流線形状等他の側面形状であってもよく、円柱形状の案内頭部６４に代えて球体形状の案内頭部６４を採用することも可能である。また、２つの片持ちバネ片６２、６６の大きさ、当接距離、設置個所及び個数等は前記の実施例のものに限らず、適宜調整することが可能である。
【図面の簡単な説明】
【００４８】
【図１】インクジェットプリンタの外観を示す斜視図。
【図２】シャッタ拡開時の給送用カセットを示す斜視図。
【図３】シャッタ閉鎖時の給送用カセットを示す斜視図。
【図４】ホッパ上昇時の給送用カセットを示す側断面図。
【図５】ホッパ下降時の給送用カセットを示す側断面図。
【図６】カセット本体を示す斜め上方からの斜視図。
【図７】カセット本体を示す斜め下方からの斜視図。
【図８】シャッタを示す表面側の斜視図。
【図９】シャッタを示す裏面側の斜視図。
【図１０】シャッタの開閉装置を示す分解斜視図。
【図１１】同上、シャッタ閉鎖時の側断面図（ａ）と、シャッタ拡開時の側断面図（ｂ）。
【符号の説明】
【００４９】
１  給送用カセット（収容ケース）、２  自動給送ユニット、３  プリンタ本体（記録装置本体）、５  上部開口、７  戻しレバー、１０  シャッタの開閉装置、１４  給送用ローラ、１６  ホッパ、１８  回転軸、３１  モータ、３２  歯車列、３３  ユニットホルダ、３５  ホッパ作動カム、３７  カセットガイド、３８  カセット本体（ケース本体）、３９  前端面、４０  上面、４１  開口部、４２  シャッタ、４３  後端面、４４  左側面、４５  右側面、４６  底面、４７  揺動穴、４９  揺動基端部、５０  揺動軸、５２  弾性舌片、５４  係合突起、５６  係合ピン、５８  左側板、５９  右側板、６０  係合溝、６１  付勢手段、６２  一方の片持ちバネ片、６３  バネ作用部、６４  案内頭部、６５  覆板、６６  他方の片持ちバネ片、６９  ガイドリブ、７０  窓部、７４  揺動自由端、７５  開口、７８  切欠き部、７９  係止爪、１００  インクジェットプリンタ（記録装置）、Ｐ  用紙（被記録媒体、被収容物）、Ａ  閉鎖方向、Ｂ  拡開方向
【図１】
2008087930.tif 000003
【図２】
2008087930.tif 000004
【図３】
2008087930.tif 000005
【図４】
2008087930.tif 000006
【図５】
2008087930.tif 000007
【図６】
2008087930.tif 000008
【図７】
2008087930.tif 000009
【図８】
2008087930.tif 000010
【図９】
2008087930.tif 000011
【図１０】
2008087930.tif 000012
【図１１】
2008087930.tif 000013